(57)【要約】  埋込型スピーカー（１）は、前面バッフル（１１）にスピーカーユニット（１２）が設置されたスピーカー本体部（１０）と、スピーカー本体部（１０）の前面バッフル（１１）を覆うカバーパネル（２０）と、カバーパネル（２０）をスピーカー本体部（１０）に着脱可能に接続する接続機構（３０）と、を有する。接続機構（３０）は、スピーカー本体部（１０）のフランジ（１５）に形成された第１係合部（４０）と、カバーパネル（２０）の外枠部（２１）に形成された第２係合部（５０）と、を有する。第１係合部（４０）は、カバーパネル（２０）をスピーカー本体部（１０）に接続する接続方向（Ａ）と交差する係合面（４１）と、係合面（４１）に隣接して接続方向（Ａ）と交差する開口面を有する挿通部（４２）と、を有する。第２係合部（５０）は、挿通部（４２）を接続方向（Ａ）へ挿通可能かつ挿通部（４２）に挿通された状態で係合面（４１）側へ移動可能な係合片（５１）と、係合片（５１）が係合面（４１）側に移動した状態で係合面（４１）に摺動可能な摺動部（５２）と、を有する。係合面（４１）には、摺動部（５２）の移動方向に沿って所定長さにわたり、摺動部（５２）の移動を抑制する凹凸形状（４４）が形成されている。
2020194522.tif 000002
【特許請求の範囲】
【請求項１】
前面にスピーカーユニットが設置されたスピーカー本体部と、前記スピーカー本体部の前記前面を覆うカバーパネルと、前記カバーパネルを前記スピーカー本体部に着脱可能に接続する接続機構と、を有し、
前記接続機構は、前記カバーパネルまたは前記スピーカー本体部のいずれか一方に形成された第１係合部と、前記カバーパネルまたは前記スピーカー本体部のいずれか他方に形成された第２係合部と、を有し、
前記第１係合部は、前記カバーパネルを前記スピーカー本体部に接続する接続方向と交差する係合面と、前記係合面に隣接して前記接続方向と交差する開口面を有する挿通部と、を有し、
前記第２係合部は、前記挿通部を前記接続方向へ挿通可能かつ前記挿通部に挿通された状態で前記係合面側へ移動可能な係合片と、前記係合片が前記係合面側に移動した状態で前記係合面に摺動可能な摺動部と、を有し、
前記係合面には、前記摺動部の移動方向に沿って所定長さにわたり、前記摺動部の移動を抑制する制動形状が形成されていることを特徴とする埋込型スピーカー。
【請求項２】
請求項１に記載された埋込型スピーカーにおいて、
前記制動形状は、前記移動方向に配列された複数の凹凸形状であることを特徴とする埋込型スピーカー。
【請求項３】
請求項１または請求項２に記載された埋込型スピーカーにおいて、
前記第１係合部または前記第２係合部に形成されて前記係合面に摺動する前記摺動部の前記挿通部側から前記係合面側への移動を規制する移動規制部と、
前記第１係合部または前記第２係合部に形成されて前記係合面に摺動する前記摺動部の前記係合面側から前記挿通部側に向かう移動を規制する脱落防止部と、を有することを特徴とする埋込型スピーカー。
【請求項４】
請求項３に記載された埋込型スピーカーにおいて、
前記係合面は、前記第１係合部に形成された凹部の底面とされ、
前記移動規制部は、前記凹部の前記挿通部と反対側の壁面であることを特徴とする埋込型スピーカー。
【請求項５】
請求項３または請求項４に記載された埋込型スピーカーにおいて、
前記脱落防止部は、前記挿通部の側面から突出して前記係合片の一部を係止可能なストッパであることを特徴とする埋込型スピーカー。
【請求項６】
請求項３または請求項４に記載された埋込型スピーカーにおいて、
前記脱落防止部は、前記係合面の前記挿通部側の端部から突出して前記係合片の一部を係止可能なストッパであることを特徴とする埋込型スピーカー。
【請求項７】
請求項５または請求項６に記載された埋込型スピーカーにおいて、
前記ストッパは、前記挿通部側の前記移動方向に対する傾斜が緩く、前記係合面側の前記移動方向に対する傾斜が大きく形成されていることを特徴とする埋込型スピーカー。
【請求項８】
請求項１から請求項７のいずれか一項に記載された埋込型スピーカーにおいて、
前記第２係合部に形成され、前記摺動部が前記係合面に摺動している状態で前記係合面に対向配置される補助フックを有することを特徴とする埋込型スピーカー。
【請求項９】
請求項１から請求項７のいずれか一項に記載された埋込型スピーカーにおいて、
前記第１係合部に形成され、前記摺動部が前記係合面に摺動している状態で前記係合片の前記係合面側に対向配置される補助フックを有することを特徴とする埋込型スピーカー。
【発明の詳細な説明】
【技術分野】
【０００１】
本発明は埋込型スピーカーに関する。
【背景技術】
【０００２】
音楽を含む音声信号の再生装置として、建物の天井に埋設される埋込型スピーカーが用いられる。近年では、設置作業を専ら天井板の下面側（室内側）から行えるようにしたものが開発されている（特許文献１参照）。
特許文献１の埋込型スピーカーは、スピーカーユニットが収容された有底筒状のエンクロージャを有する。エンクロージャは、スピーカーユニットが設置された前面側の周囲に外向きのフランジを有し、側面には複数の取付脚を有する。取付脚は、エンクロージャの前面側からのねじ操作により、フランジに向けて移動可能かつ径方向外向きに進出可能であり、逆向きの操作によりフランジから離隔しつつ再びエンクロージャ内に収容可能である。
設置作業では、先ず、天井板の孔から室内側に引き出したケーブルをエンクロージャの端子に接続した後、フランジがある側を下にしてエンクロージャを天井板の孔に挿入し、フランジが天井板に当接された状態とする。次に、エンクロージャの前面側からのねじ操作により、天井裏にある取付脚を進出させつつフランジに接近させ、取付脚とフランジとの間に天井板を挟持する。これにより、エンクロージャは天井板に固定され、スピーカーユニットが孔を通して室内に向けて配置される。【０００３】
従来の埋込型スピーカーでは、スピーカーユニットを含むエンクロージャの前面側および天井板の孔が室内側に露出されることを避けるため、前面グリルが設置される。
前面グリルは、音響透過性を有するパンチングメタルの成形品やパンチングメタルを模した樹脂成形品で形成され、エンクロージャのフランジに着脱自在に装着される。
前面グリルとエンクロージャとの接続機構としては、前面グリルには外観性が重視されることから、例えばピン嵌め込み式の接続構造、あるいはカメラのレンズマウントに多用されるバヨネット構造に類する接続構造が利用されている（特許文献２参照）。
【先行技術文献】
【特許文献】
【０００４】
【特許文献１】特開２００７−９７００３号公報
【特許文献２】特開２００５−０２０１１５号公報
【発明の概要】
【発明が解決しようとする課題】
【０００５】
ところで、前述した埋込型スピーカーでは、前面グリルにメーカー名やブランドロゴなどが表示される。
これらのロゴなどは、設置される室内の壁面に対して平行あるいは直角になっていればよいが、エンクロージャの装着状態によっては斜めになり、外観上好ましくない。
しかし、従来の前面グリルの接続構造では、エンクロージャに対する周方向の角度位置の調整ができなかった。例えば、ピン嵌合では孔位置が限定されるほか、接続にバヨネット構造を用いた場合でも一定の角度位置に規制される。そのため、前面グリルの角度を調整するには、前面グリルを取り外し、エンクロージャを固定している取付脚を緩め、エンクロージャを天井板に対して回転させ、再び取付脚を締め付ける、などの煩雑な操作が必要になっていた。
従って、埋込型スピーカーにおいて、前面グリルの角度を容易に調整できるようにすることが求められていた。
また、天井パネルの接続構造に対しては、誤った装着作業による破壊限界に近い瞬間的な応力がかかる、あるいは油煙のある環境下での長期使用でソルベントクラックが発生するなど、接続構造が破壊した場合に、脱落する可能性があり、このような脱落を防止することも求められていた。【０００６】
本発明の目的は、前面グリルの角度を容易に調整できる埋込型スピーカーを提供することにある。
【課題を解決するための手段】
【０００７】
本発明の埋込型スピーカーは、前面にスピーカーユニットが設置されたスピーカー本体部と、前記スピーカー本体部の前記前面を覆うカバーパネルと、前記カバーパネルを前記スピーカー本体部に着脱可能に接続する接続機構と、を有し、前記接続機構は、前記カバーパネルまたは前記スピーカー本体部のいずれか一方に形成された第１係合部と、前記カバーパネルまたは前記スピーカー本体部のいずれか他方に形成された第２係合部と、を有し、前記第１係合部は、前記カバーパネルを前記スピーカー本体部に接続する接続方向と交差する係合面と、前記係合面に隣接して前記接続方向と交差する開口面を有する挿通部と、を有し、前記第２係合部は、前記挿通部を前記接続方向へ挿通可能かつ前記挿通部に挿通された状態で前記係合面側へ移動可能な係合片と、前記係合片が前記係合面側に移動した状態で前記係合面に摺動可能な摺動部と、を有し、前記係合面には、前記摺動部の移動方向に沿って所定長さにわたり、前記摺動部の移動を抑制する制動形状が形成されていることを特徴とする。
【図面の簡単な説明】
【０００８】
【図１】本発明の埋込型スピーカーの一実施形態を示す上面側の分解斜視図。
【図２】前記実施形態を示す下面側の分解斜視図。
【図３】前記実施形態の接続機構の挿入操作を示す模式図。
【図４】前記実施形態の接続機構の係合操作を示す模式図。
【図５】前記実施形態の接続機構の調整操作を示す模式図。
【図６】前記実施形態の接続機構の脱落防止状態を示す模式図。
【図７】前記実施形態の接続機構を示す未ロック状態の斜視図。
【図８】前記実施形態の接続機構を示すロック状態の斜視図。
【図９】前記実施形態の接続機構を示すロック状態の別方向の斜視図。
【図１０】前記実施形態の接続機構の脱落防止状態を示す平面図。
【図１１】本発明の他の実施形態の脱落防止部を示す模式図。
【図１２】本発明の他の実施形態の補助フックを示す模式図。
【発明を実施するための形態】
【０００９】
以下、本発明の実施形態を図面に基づいて説明する。
図１および図２には、本発明の実施形態である埋込型スピーカー１が示されている。
埋込型スピーカー１は、前面バッフル１１にスピーカーユニット１２が設置されたスピーカー本体部１０と、スピーカー本体部１０の前面バッフル１１を覆うカバーパネル２０と、カバーパネル２０をスピーカー本体部１０に着脱可能に接続する接続機構３０と、を有する。
【００１０】
スピーカー本体部１０は、略８角形の有底筒状のエンクロージャ１４を有し、外周にフランジ１５を備える前面バッフル１１と接着固定されている。エンクロージャ１４は板金成形品、フランジ１５を備える前面バッフル１１は合成樹脂成形品である。
フランジ１５には、外向きに突出する取付脚１６が４箇所に設置されている。
取付脚１６は、前面バッフル１１の取付ねじ１６１を操作することでフランジ１５に対して近接可能である。また、取付脚１６は、フランジ１５から最も離れた位置まで移動した際には、図示しないガイド機構により向きを変えられ、フランジ１５の外周より内側の領域に退避可能である。
【００１１】
スピーカー本体部１０は、次のような操作で、天井板の取付孔２に装着される。取付脚１６を退避させた状態で、前面バッフル１１を下向きにして、エンクロージャ１４を室内側から取付孔２に挿入する。そして、取付孔２の周囲にフランジ１５を当接させ、前面バッフル１１の取付ねじ１６１を締め込む。これにより、取付脚１６が外向きに突出しつつフランジ１５に向かって接近し、フランジ１５と取付脚１６との間に取付孔２の周囲の天井板が挟持される。
スピーカー本体部１０が天井板の取付孔２に装着された状態では、天井板の室内側には、前面バッフル１１およびフランジ１５のみが露出する。
【００１２】
カバーパネル２０は、円形の外枠部２１と、その内側のネット部２２と、を有する。
外枠部２１は、スピーカー本体部１０のフランジ１５の外周まで覆う大きさとされ、その内側に形成される接続機構３０によりフランジ１５と接続される。
ネット部２２は、スピーカー本体部１０の前面バッフル１１を覆う薄板状の部材であり、スピーカーユニット１２からの音響を透過させるのに十分な透過性を有する。
外枠部２１とネット部２２は合成樹脂の一体成形品とすることができるほか、合成樹脂成形品の外枠部２１の内側に、繊維製のネット、金属製のメッシュ、パンチングメタルなどを張ったものとすることができる。
ネット部２２の表面には、メーカー名やブランドロゴなどを表示するバッジ２３が装着されている。
【００１３】
接続機構３０は、カバーパネル２０をスピーカー本体部１０に着脱可能に接続するものであり、カバーパネル２０およびスピーカー本体部１０の周方向の４箇所に等間隔で設置され、それぞれ互いに係合可能な第１係合部４０および第２係合部５０を有する。
本実施形態では、第１係合部４０がスピーカー本体部１０に形成され、第２係合部５０がカバーパネル２０に形成されている。
以下の接続機構３０の説明においては、カバーパネル２０をスピーカー本体部１０に接続する方向を接続方向Ａ、カバーパネル２０の周方向Ｃ、カバーパネル２０の径方向Ｒとする（図１および図２参照）。本実施形態において、接続方向Ａは、スピーカーユニット１２の軸線方向であり、接続されたカバーパネル２０およびスピーカー本体部１０の中心軸線でもある。
【００１４】
第１係合部４０は、フランジ１５の外周縁に沿って設置された係合面４１および挿通部４２を備えている。
フランジ１５には凹部４３が形成され、その底面により、接続方向Ａと交差する係合面４１が形成されている。
【００１５】
係合面４１は、表面に制動形状である波板状の凹凸形状４４が、周方向Ｃへ所定長さにわたって形成されている。凹凸形状４４は、径方向Ｒに連続した断面三角形の溝条を多数配列して形成されている。係合面４１の挿通部４２側の端部には、ガイド用の傾斜面４５が形成されている。係合面４１の挿通部４２と反対側の端部は、凹部４３の壁面に接続されており、この壁面により移動規制部４６が形成されている。
【００１６】
挿通部４２は、凹部４３に隣接して、フランジ１５の外周から径方向Ｒの内向きに、フランジ１５の表裏を貫通する切欠きを形成し、接続方向Ａに交差する開口面を形成したものである。挿通部４２と係合面４１が形成される凹部４３とは、周方向Ｃに隣接しかつ互いに連通されている。
挿通部４２には、径方向Ｒの内側の側壁の凹部４３との境界部分に、接続方向Ａに延びる凸条が形成され、この凸条により脱落防止部であるストッパ４７が形成されている。
【００１７】
第２係合部５０は、外枠部２１の内周縁に沿って設置された係合片５１および摺動部５２を備えている。
係合片５１は、外枠部２１から径方向Ｒの内側へ持ち出された基部５３で支持され、周方向Ｃに延びるレバー状に形成されている。
係合片５１は、カバーパネル２０をフランジ１５に接続するべく当接させた際に、挿通部４２を接続方向Ａへ挿通可能である（図３参照）。
そして、カバーパネル２０をフランジ１５に当接させた状態で、カバーパネル２０を周方向Ｃに沿って回転させることで、挿通部４２に挿通された状態の係合片５１が、周方向Ｃに沿って係合面４１側へ移動可能である（図４参照）。
【００１８】
摺動部５２は、係合片５１の先端を係合面４１側へ折り曲げて形成されている。
摺動部５２は、係合片５１を周方向Ｃに沿って係合面４１側に移動させた際に、傾斜面４５にガイドされて係合面４１に乗り上げ、係合片５１の弾性により係合面４１に押圧されつつ係合面４１に摺動可能である（図５および図６参照）。この状態で、第１係合部４０および第２係合部５０が互いに係合され、カバーパネル２０がフランジ１５に接続された状態（ロック状態）に維持される。
【００１９】
摺動部５２は、係合面４１の凹凸形状４４の三角溝に嵌まり込んだ状態で拘束されるが、係合片５１を移動させる力、つまりカバーパネル２０を回転させる力が大きくなると、摺動部５２が凹凸形状４４の凸部を乗り越え、係合面４１に沿って周方向Ｃへ移動可能である。従って、フランジ１５に接続されたカバーパネル２０は、ロック状態のまま回転させて向きの調整が可能である。
ロック状態での摺動部５２の移動範囲は、前述した移動規制部４６および脱落防止部であるストッパ４７により所定範囲内に限定されている。
【００２０】
図７ないし図１０には、第１係合部４０および第２係合部５０がより詳細に示されている。
前述のように、挿通部４２と凹部４３との境界部分には凸条からなるストッパ４７が形成されている。一方、係合片５１には、摺動部５２とされた先端近傍に、ストッパ４７と係合可能な突起状のストッパ受け５４が形成されている。
ストッパ４７は、凹部４３側が、凹部４３の壁面から急角度で立ち上がる段差状であるのに対し、挿通部４２側は、挿通部４２の壁面から滑らかに隆起する傾斜面とされている。一方、ストッパ受け５４も、基部５３側が段差状であるのに対し、摺動部５２側が滑らかな傾斜面とされている。
【００２１】
カバーパネル２０とフランジ１５とをロック状態とする際に、カバーパネル２０をフランジ１５に対して回転させ、係合片５１を挿通部４２から凹部４３に向けて移動させると、ストッパ受け５４がストッパ４７に当接する（図７および前述した図４も参照）。
このとき、ストッパ４７とストッパ受け５４とは各々の傾斜面で当接するため、係合片５１の弾性変形によりストッパ受け５４はストッパ４７を乗り越えることができる（図５および図８、図９参照）。
【００２２】
一方、ロック状態でのカバーパネル２０の角度調整の際に、カバーパネル２０をフランジ１５に対して回転させ、係合片５１を凹部４３から挿通部４２に向けて移動させると、再びストッパ受け５４がストッパ４７に当接する（図９および前述した図６も参照）。
このとき、ストッパ４７とストッパ受け５４とは各々の段差で当接するため、ストッパ受け５４はストッパ４７を容易に乗り越えることができない。
従って、係合片５１は挿通部４２に達することができず、第１係合部４０および第２係合部５０の係合が解除されず、フランジ１５に装着されているカバーパネル２０の脱落が防止される。
【００２３】
第２係合部５０は、係合片５１とは別に、補助フック５５を備えている。
補助フック５５は、外枠部２１から径方向Ｒの内向きに突出する断面Ｓ字状の突起であり、係合片５１の摺動部５２より先に間隔をあけて配置されている。
補助フック５５は、カバーパネル２０とフランジ１５とがロック状態であるとき、先端側が係合面４１と所定間隔で対向配置され、カバーパネル２０の角度調整の際には、係合面４１に沿って移動可能である。
カバーパネル２０をフランジ１５に接続するための第１係合部４０と第２係合部５０との係合は、基本的に係合片５１と係合面４１との係合による。係合片５１の変形などでカバーパネル２０がフランジ１５から離れた際には、補助フック５５が係合面４１に係合し、カバーパネル２０をフランジ１５に対して支えることができる。
【００２４】
以上に説明した実施形態によれば、以下に述べる効果が得られる。
本実施形態において、埋込型スピーカー１を以下の構成とした。
前面バッフル１１にスピーカーユニット１２が設置されたスピーカー本体部１０と、スピーカー本体部１０の前面バッフル１１を覆うカバーパネル２０と、カバーパネル２０をスピーカー本体部１０に着脱可能に接続する接続機構３０と、を有する。
接続機構３０は、スピーカー本体部１０のフランジ１５に形成された第１係合部４０と、カバーパネル２０の外枠部２１に形成された第２係合部５０と、を有する。
第１係合部４０は、カバーパネル２０をスピーカー本体部１０に接続する接続方向Ａと交差する係合面４１と、係合面４１に隣接して接続方向Ａと交差する開口面を有する挿通部４２と、を有する。
第２係合部５０は、挿通部４２を接続方向Ａへ挿通可能かつ挿通部４２に挿通された状態で係合面４１側へ移動可能な係合片５１と、係合片５１が係合面４１側に移動した状態で係合面４１に摺動可能な摺動部５２と、を有する。
係合面４１には、摺動部５２の移動方向に沿って所定長さにわたり、摺動部５２の移動を抑制する制動形状（凹凸形状４４）が形成されている。
【００２５】
このような本実施形態では、天井板の取付孔２にスピーカー本体部１０を設置し、その前面バッフル１１にカバーパネル２０を配置し、フランジ１５および外枠部２１の周方向に配置された４つの接続機構３０により、カバーパネル２０をスピーカー本体部１０に接続することができる。
接続機構３０においては、フランジ１５に形成された第１係合部４０と、カバーパネル２０に形成された第２係合部５０とを向かい合わせ、接続方向Ａに近接させることで、係合片５１が挿通部４２に導入され、カバーパネル２０がフランジ１５に接触した状態となる。そして、カバーパネル２０を周方向Ｃへ回転させ、挿通部４２に挿通された係合片５１を係合面４１に乗り上げさせる。これにより、カバーパネル２０は、係合片５１および係合面４１を介してフランジ１５に吊り下げられ、スピーカー本体部１０に接続されたロック状態とされる。
ロック状態で、係合片５１は摺動部５２で係合面４１に摺動可能であるため、カバーパネル２０を周方向へ回転させることで、スピーカー本体部１０に対するカバーパネル２０の角度を容易に調整できる。
【００２６】
本実施形態では、係合面４１に、制動形状として凹凸形状４４を形成したので、摺動部５２が不用意に移動することを防止でき、調整したカバーパネル２０の角度を維持することができる。
また、凹凸形状４４は、形成が容易であり、かつ係合片５１を移動させる際に適度なクリック感が得られ、カバーパネル２０の角度調整の作業効率を向上できる。
【００２７】
本実施形態では、第１係合部４０に、係合面４１に摺動する摺動部５２の挿通部４２側から係合面４１側への移動を規制する移動規制部４６を形成した。
また、第１係合部４０に、係合面４１に摺動する摺動部５２の係合面４１側から挿通部４２側に向かう移動を規制する脱落防止部（ストッパ４７）を形成した。
このため、角度調整の際にカバーパネル２０を過剰に回転させても、移動規制部４６により過剰な移動を規制し、摺動部５２を係合面４１の範囲内に維持してロック状態を保つことができる。
とくに、係合片５１が係合面４１側から挿通部４２側へ戻るように移動した場合でも、ストッパ４７により係合片５１の移動を規制し、ロック状態からの脱落を防止できる。
【００２８】
本実施形態では、係合面４１は、フランジ１５に形成された凹部４３の底面とされ、移動規制部４６は、凹部４３の挿通部４２と反対側の壁面である、とした。
このため、フランジ１５に凹部４３を形成するという簡単な加工で、第１係合部４０を形成することができる。
【００２９】
本実施形態では、脱落防止部として挿通部４２の側面から突出するストッパ４７を形成し、係合片５１の一部であるストッパ受け５４を係止可能とした。
このため、摺動部５２の係合面４１からの離脱ないしカバーパネル２０のスピーカー本体部１０からの脱落を防止できるとともに、係合面４１および摺動部５２とは分離して設置できるため、摺動部５２と係合面４１との摺動部分周辺の構造を簡素化できる。
【００３０】
本実施形態では、ストッパ４７は、挿通部４２側では傾斜が緩く、係合面４１側の傾斜が大きな段差状とした。また、ストッパ受け５４は、摺動部５２側では傾斜が緩く、基部５３側の傾斜が大きな段差状とした。
このため、係合片５１が係合面４１に導入される際には通過が容易で、逆に離脱する際には通過が困難とすることができ、カバーパネル２０の脱落防止を図りつつ、ロック状態とする操作を効率よく行うことができる。
【００３１】
本実施形態では、第２係合部５０に、摺動部５２が係合面４１に摺動している状態で係合面４１に対向配置される補助フック５５を設置した。
このため、係合片５１の変形などでカバーパネル２０がフランジ１５から離れる方向へ移動した際に、補助フック５５が係合面４１に係合し、カバーパネル２０をフランジ１５に対して支えることができる。
【００３２】
なお、本発明は前述した実施形態に限定されるものではなく、本発明の目的を達成できる範囲での変形などは本発明に含まれる。
前記実施形態では、係合面４１に形成される制動形状として凹凸形状４４を用い、さらに凹凸形状４４として径方向Ｒに連続した断面三角形の溝条を多数配列した。ここで、凹凸形状は、連続した溝条に限らず、凹部の列であってもよく、あるいは凸部が連続して並んだものとすることもできる。
さらに、係合面４１に形成される制動形状としては、摺動部５２の一部が係合する凹凸形状に限らず、粘着などにより移動を抑制するものであってもよい。要するに、制動形状は、摺動部の周方向Ｃへの移動を抑制しつつ、摺動部に対する周方向Ｃの所定の力で移動可能な形状であればよい。
【００３３】
前記実施形態では、脱落防止部として挿通部４２の側面から突出するストッパ４７を形成し、係合片５１の一部であるストッパ受け５４を係止する構造とした。
これに対し、図１１のように、例えば傾斜面４５の背面など、係合面４１の挿通部４２側の端部にストッパ４７Ａを設け、摺動部５２に形成されたストッパ受け５４Ａを係止する構造としてもよい。
【００３４】
前記実施形態では、第２係合部５０に、摺動部５２が係合面４１に摺動している状態で係合面４１に対向配置される補助フック５５を設置した。これに対し、図１２のように、第１係合部４０に、摺動部５２が係合面４１に摺動している状態で係合片５１の係合面４１側に対向配置される補助フック４８を設けてもよい。
【００３５】
前記実施形態では、接続機構３０として、スピーカー本体部１０に第１係合部４０を形成し、カバーパネル２０に第２係合部５０を形成した。これに対し、第１係合部４０をカバーパネル２０に、第２係合部５０をスピーカー本体部１０に形成してもよい。
前記実施形態では、第１係合部４０をスピーカー本体部１０のフランジ１５に形成した。これに対し、スピーカー本体部１０はフランジ１５がないものでもよく、その場合にはエンクロージャ１４の側面に第１係合部４０または第２係合部５０を形成することができる。さらに、外枠部２１とネット部２２が合成樹脂の一体成形品の場合は、前面バッフル１１の任意の場所に、第１係合部４０または第２係合部５０を容易に形成することができる。
【００３６】
前記実施形態では、スピーカー本体部１０とカバーパネル２０との接続機構３０を、周方向Ｃに沿って４箇所に均等配置した。これに対し、接続機構３０の間隔は不均等であってもよく、スピーカー本体部１０に対してカバーパネル２０を特定の向きに限定したい場合などに利用できる。また、接続機構３０は４箇所に限らず、３箇所以下あるいは５箇所以上であってもよい。
【００３７】
前記実施形態では、４つの接続機構３０を周方向に配列し、スピーカー本体部１０に対してカバーパネル２０を周方向Ｃへ回転させることで第１係合部４０と第２係合部５０との係合および解除を操作した。
これに対し、周方向Ｃの互いに反対側つまり径方向Ｒに対向する位置に、一対の接続機構３０を設け、各々において第１係合部４０と第２係合部５０との係合および解除の方向（係合面４１と挿通部４２とが並ぶ方向）を互いに逆向きとすることができる。
このような逆向き一対の接続機構３０を用いれば、カバーパネル２０をスピーカー本体部１０の前面バッフル１１に沿って平行移動させる操作により、第１係合部４０と第２係合部５０とを係合または解除することができる。
【符号の説明】
【００３８】
１…埋込型スピーカー、１０…スピーカー本体部、１１…前面バッフル、１２…スピーカーユニット、１４…エンクロージャ、１５…フランジ、１６…取付脚、１６１…取付ねじ、２…取付孔、２０…カバーパネル、２１…外枠部、２２…ネット部、２３…バッジ、３０…接続機構、４０…第１係合部、４１…係合面、４２…挿通部、４３…凹部、４４…制動形状である凹凸形状、４５…傾斜面、４６…移動規制部、４７，４７Ａ…脱落防止部であるストッパ、４８…補助フック、５０…第２係合部、５１…係合片、５２…摺動部、５３…基部、５４…ストッパ受け、５５…補助フック、Ａ…接続方向、Ｃ…周方向、Ｒ…径方向。
【図１】
2020194522.tif 000003
【図２】
2020194522.tif 000004
【図３】
2020194522.tif 000005
【図４】
2020194522.tif 000006
【図５】
2020194522.tif 000007
【図６】
2020194522.tif 000008
【図７】
2020194522.tif 000009
【図８】
2020194522.tif 000010
【図９】
2020194522.tif 000011
【図１０】
2020194522.tif 000012
【図１１】
2020194522.tif 000013
【図１２】
2020194522.tif 000014
【国際調査報告】
2020194522.tif 000015
2020194522.tif 000016